(57)【要約】【課題】内部の空間を横方向に広く開放することができて、内部のメンテナンスが行いやすいトイレキャビネットを提案する。【解決手段】トイレキャビネット１は、キャビネット本体４と、第一前パネル５と、第二前パネル６と、キャビネット本体４に設けられる受け具１３と、第一前パネル５に設けられる引掛け具１４を備える。第二前パネル６は、第一前パネル５の横に並ぶように、キャビネット本体４に着脱自在に取り付けられる。第一前パネル５は、第二前パネル６がキャビネット本体４から外れた状態では、受け具１３に引掛け具１４が引っ掛かる取付位置と、受け具１３から引掛け具１４が離れる取り外し位置との間で、横方向に移動自在である。第一前パネル５は、第二前パネル６がキャビネット本体４に取り付けられた状態では、取付位置から取り外し位置への移動が、第二前パネル６に当たることで不可とされる。【選択図】図１
2018175112.tif 000002
【特許請求の範囲】
【請求項１】
トイレルームの壁に沿うように、前記壁の前方に設置されるキャビネット本体と、
前記キャビネット本体の前側に取り付けられる第一前パネルと、
前記第一前パネルの横に並ぶように、前記キャビネット本体に着脱自在に取り付けられる第二前パネルと、
前記キャビネット本体に設けられた受け具と、
前記第一前パネルに設けられた引掛け具と、を備え、
前記第一前パネルは、
前記第二前パネルが前記キャビネット本体から外れた状態では、前記受け具に前記引掛け具が引っ掛かる取付位置と、前記受け具から前記引掛け具が離れる取り外し位置との間で、横方向に移動自在であり、
前記第二前パネルが前記キャビネット本体に取り付けられた状態では、前記取付位置から前記取り外し位置への移動が、前記第二前パネルに当たることで不可とされることを特徴とするトイレキャビネット。
【請求項２】
前記第一前パネルの下部に設けられた第二引掛け具をさらに備え、
前記第二引掛け具は、前記第一前パネルが前記取付位置と前記取り外し位置のいずれにあるときも、前記キャビネット本体に対して引っ掛けることができるように構成されていることを特徴とする請求項１に記載のトイレキャビネット。
【請求項３】
前記第二前パネルの上に位置するように、前記キャビネット本体に取り付けられる手洗装置をさらに備え、
前記手洗装置は、水栓と、前記水栓を制御する制御装置と、を有し、
前記制御装置は、前記キャビネット本体内に収納されることを特徴とする請求項１または２に記載のトイレキャビネット。
【発明の詳細な説明】
【技術分野】
【０００１】
本発明は、トイレキャビネットに関する。
【背景技術】
【０００２】
特許文献１には、トイレルームの壁面に沿うように配置されるキャビネットが記載されている。このキャビネットでは、キャビネットの前面を覆う前板のうち、便器の側方に位置する前板が、前方に開くことのできる扉となっている。
【０００３】
このキャビネットでは、キャビネット内の空間のうち、便器よりも側方の空間を開放することができて、この部分のメンテナンスが行える。
【先行技術文献】
【特許文献】
【０００４】
【特許文献１】特開平７−３１３号公報
【発明の概要】
【発明が解決しようとする課題】
【０００５】
ところで、キャビネット内の空間は、便器よりも側方の空間に限らず、便器の後方の空間も含めて横方向に広く開放できることが好ましい。
【０００６】
上記事情に鑑みて、本発明は、内部の空間を横方向に広く開放することができて、内部のメンテナンスが行いやすいトイレキャビネットを提案することを課題とする。
【課題を解決するための手段】
【０００７】
本発明に係る一態様のトイレキャビネットは、キャビネット本体と、第一前パネルと、第二前パネルと、受け具と、引掛け具と、を備える。
【０００８】
前記キャビネット本体は、トイレルームの壁に沿うように、前記壁の前方に設置される。前記第一前パネルは、前記キャビネット本体の前側に取り付けられる。前記第二前パネルは、前記第一前パネルの横に並ぶように、前記キャビネット本体に着脱自在に取り付けられる。前記受け具は、前記キャビネット本体に設けられる。前記引掛け具は、前記第一前パネルに設けられる。
【０００９】
前記第一前パネルは、前記第二前パネルが前記キャビネット本体から外れた状態では、前記受け具に前記引掛け具が引っ掛かる取付位置と、前記受け具から前記引掛け具が離れる取り外し位置との間で、横方向に移動自在である。
【００１０】
前記第一前パネルは、前記第二前パネルが前記キャビネット本体に取り付けられた状態では、前記取付位置から前記取り外し位置への移動が、前記第二前パネルに当たることで不可とされる。
【発明の効果】
【００１１】
本発明によれば、内部の空間を広く開放することができて、内部のメンテナンスが行いやすいトイレキャビネットを提案することができる。
【図面の簡単な説明】
【００１２】
【図１】図１は、本発明に係る実施形態１のトイレキャビネットを示す斜視図である。
【図２】図２は、同上のトイレキャビネットを示す平面図である。
【図３】図３Ａは、同上のトイレキャビネットを示す背面図であり、後板の図示を省略した図である。図３Ｂは、図３ＡのＡ部分の拡大斜視図である。
【図４】図４は、同上のトイレキャビネット内の空間を開放する第一工程を示す正面図である。
【図５】図５は、同上のトイレキャビネット内の空間を開放する第二工程を示す正面図である。
【図６】図６は、同上のトイレキャビネット内の空間を開放する第三工程を示す正面図である。
【図７】図７は、本発明に係る実施形態２のトイレキャビネットを示す斜視図である。
【図８】図８は、図７のＢ部分の拡大斜視図である。
【発明を実施するための形態】
【００１３】
（実施形態１）
図１及び図２には、実施形態１のトイレキャビネット１（以下「キャビネット１」と記載する）が示されている。キャビネット１は、トイレルームの１つの壁２に沿うように、壁２の前方に設置される。本明細書においては、図１に示す設置状態を基準として、壁２に対してトイレキャビネット１が位置する側を前方とし、その反対側を後方とし、平面視において壁２に沿った方向を左右方向として、各構成について説明する。各図において、矢印Ｘで示す方向が前方であり、矢印Ｙで示す方向が右方であり、矢印Ｚで示す方向が上方である。
【００１４】
壁２の前方の床には、便器３が設置される。キャビネット１は、壁２と便器３の間の床に載せ置かれる。便器３は、例えば、腰掛式のタンクレスの水洗便器である。便器３は、床に設けられた下水管（図示せず）に接続されている。便器３は、利用者が壁２側に背を向けて座る向きに設置されている。キャビネット１は、壁２と便器３と間の狭いスペースに配置されている。
【００１５】
キャビネット１は、内部に収納空間Ｓ１を有するキャビネット本体４と、第一前パネル５と、第二前パネル６と、手洗装置７と、扉パネル８と、下第一前パネル９と、下第二前パネル１０と、カウンター１１と、サイドパネル１２を備える。キャビネット１はさらに、キャビネット本体４の前側に第一前パネル５を取り付けるための部材として、受け具１３、引掛け具１４、及び第二引掛け具１５を備える。
【００１６】
まず、キャビネット本体４について説明する。
【００１７】
キャビネット本体４は、前方に開放された箱状である。図３Ａには、キャビネット本体４を後側から視た図が示されている。この図では、キャビネット本体４が有する後板４０（図１参照）の図示が省略されている。
【００１８】
キャビネット本体４は、後板４０と、一対の側板４１，４２と、天板４３と、底板４４とを有する。一対の側板４１，４２、天板４３、及び底板４４は、矩形枠状に組み立てられている。後板４０、一対の側板４１，４２、天板４３、及び底板４４で囲まれる空間が、前方に開放される収納空間Ｓ１である。
【００１９】
キャビネット本体４は、収納空間Ｓ１を複数の空間に分ける複数の仕切板をさらに有する。複数の仕切板は、収納空間Ｓ１を上側の空間と下側の空間に分ける第一横板４５及び第二横板４６と、上側の空間を左右に分ける第一縦板４７と、下側の空間の下部を左右に分ける第二縦板４８と、第二縦板４８と側板４１の間に架け渡される第三横板４９とを含む。横板４５，４６，４９のそれぞれは、天板４３及び底板４４に対して平行である。縦板４７，４８のそれぞれは、側板４１，４２に対して平行である。第二横板４６は、第一横板４５の下に重なっている。
【００２０】
収納空間Ｓ１は、上第一空間Ｓ２、上第二空間Ｓ３、下第一空間Ｓ４、及び下第二空間Ｓ５を含む。上第一空間Ｓ２は、後板４０と天板４３と第一横板４５と一対の側板４１，４２で囲まれる空間のうち、第一縦板４７よりも側板４２側の空間である。上第二空間Ｓ３は、後板４０と天板４３と第一横板４５と一対の側板４１，４２で囲まれる空間のうち、第一縦板４７よりも側板４１側の空間である。
【００２１】
下第一空間Ｓ４は、後板４０と、第二横板４６と、側板４２と、側板４１の上半部（第三横板４９よりも上側の部分）と、底板４４の左半部（第二縦板４８よりも側板４１側の部分）と、第二縦板４８と、第三横板４９とで囲まれた空間である。下第二空間Ｓ５は、後板４０と、側板４１の下半部（第三横板４９よりも下側の部分）と、底板４４の右半部（第二縦板４８よりも側板４２側の部分）と、第二縦板４８と、第三横板４９とで囲まれた空間である。
【００２２】
続いて、第一前パネル５について説明する。
【００２３】
図１、図３Ａに示すように、第一前パネル５は、下第一空間Ｓ４のうち、下第二空間Ｓ５よりも上方の左側の領域を前側から塞ぐように、キャビネット本体４に着脱自在に取り付けられる。第一前パネル５は、例えば、表面に防水加工が施された木質の板材である。第一前パネル５の前方には便器３が位置し、第一前パネル５と便器３との間は狭いスペースとなっている。
【００２４】
第一前パネル５は、矩形板状であり、下端部に切欠き５０を有する。切欠き５０は、第一前パネル５の下端部の左右方向の中央部分に位置する。切欠き５０は、第一前パネル５の下端部を前後方向に貫通するとともに、下方に向けて開口している。
【００２５】
続いて、第二前パネル６について説明する。
【００２６】
第二前パネル６は、下第一空間Ｓ４のうち、下第二空間Ｓ５よりも上方の右側の領域を前側から塞ぐように、キャビネット本体４に着脱自在に取り付けられる。下第一空間Ｓ４のうち下第二空間Ｓ５よりも上方の領域は、第一前パネル５と第二前パネル６によって左右方向に亘って塞がれる。第二前パネル６の前方には便器３が位置しない空きスペースとなっている。
【００２７】
第二前パネル６は、前後方向に着脱するように、キャビネット本体４に取り付けられる。第二前パネル６は、例えば、面ファスナーによって、キャビネット本体４に取り付けられる。
【００２８】
第二前パネル６は、上端部に前方に突出した箱状の突出カバー部６０を有する。突出カバー部６０は、第二前パネル６の上端部の左右方向の中央部分に位置する。突出カバー部６０は、後方及び上方に開口した箱状である。第二前パネル６のうち、突出カバー部６０を除いた残りの部分は、略矩形板状である。第二前パネル６は、左右方向の長さが、第一前パネル５よりも短く、上下方向の長さが、第一前パネル５と同じである。第二前パネル６は、例えば、樹脂成型品である。
【００２９】
続いて、手洗装置７について説明する。
【００３０】
手洗装置７は、上第二空間Ｓ３を前側から塞ぐように、キャビネット本体４に取り付けられている。手洗装置７は、扁平な矩形の箱状のベース部７０と、ベース部７０の下部から前方に延長されたボウル部７１と、水栓７２と、人感センサー（図示せず）と、制御装置７３と、給水管７４と、排水管７５とを有する。
【００３１】
ベース部７０が、キャビネット本体４に対して取り付けられる。ボウル部７１は、底部に、排水孔（図示せず）と、排水孔の孔縁から下方に延長されたＬ字状の排水筒７１０とを有する。排水筒７１０の下流端は、後方に向けて開口している。ベース部７０とボウル部７１は、例えば、樹脂成型品である。
【００３２】
水栓７２は、吐水口７２０と、操作レバー７２１とを有する。水栓７２は、ベース部７０に取り付けられている。水栓７２には、人感センサーが内蔵されている。人感センサーは、例えば、水栓７２の吐水口７２０に近づいた物体（利用者の手等）の有無を検知する。
【００３３】
制御装置７３は、電磁弁と、人感センサーの検知結果に応じて電磁弁の開閉を制御する制御回路とを有する。電磁弁と制御回路は、制御装置７３の筐体７３０内に収納されている。制御装置７３は、ビス等の固定部材によって、キャビネット本体４に取り付けられる。制御装置７３は、下第一空間Ｓ４のうち、第二前パネル６によって塞がれる空間に配されている。電磁弁には、上水道からの水が供給される。
【００３４】
給水管７４は、一端（下流端）が水栓７２に接続され、他端（上流端）が電磁弁に着脱自在に接続される。給水管７４は、フレキシブルな管７４０（例えばホース）と、その他端（上流端）に設けられたねじ式接続部７４１を有する。ねじ式接続部７４１を回転操作することによって、給水管７４は電磁弁に対して簡単に着脱させることができる。
【００３５】
排水管７５は、上流側に位置する封水用のトラップ部７５０と、トラップ部７５０よりも下流側に位置する蛇腹状の変形部７５１と、下流端に位置するねじ式接続部７５２を有する。排水管７５は、上流端が手洗装置７の排水筒７１０に接続され、下流端が便器３の排水構造に着脱自在に接続される。排水管７５は、下第一空間Ｓ４のうち、第一前パネル５によって塞がれる空間と第二前パネル６によって塞がれる空間に亘るように配されている。
【００３６】
ねじ式接続部７５２を回転操作することによって、排水管７５は便器３の排水構造に対して簡単に着脱させることができる。便器３の排水構造とは、便器３に内蔵され、外部の下水管に接続されるトラップケースであり、トラップケースには可動式の排水トラップが封水姿勢と止水姿勢とを切替できるように収納されている。手洗装置７の排水は、便器３の排水構造を介して外部の下水管へと排水される。
【００３７】
続いて、扉パネル８について説明する。
【００３８】
扉パネル８は、上第一空間Ｓ２を開閉するように、キャビネット本体４の前側に取り付けられる。扉パネル８は、矩形板状である。扉パネル８は、その左端部を中心にして全体が回転するように、キャビネット本体４に取り付けられている。扉パネル８は、例えば、表面に防水加工が施された木質の板材である。
【００３９】
続いて、下第一前パネル９について説明する。
【００４０】
下第一前パネル９は、下第一空間Ｓ４のうち、下第二空間Ｓ５の側方の左端の領域を塞ぐように、キャビネット本体４に取り付けられる。下第一前パネル９は、矩形板状であり、例えば、表面に防水加工が施された木質の板材である。下第一前パネル９の左右幅は、第一前パネル５のうち、切欠き５０よりも左側の部分の左右幅と同じである。下第一前パネル９は、キャビネット本体４の左の側板４２と底板４４のそれぞれに対して、ダボ等を介して取り付けられる。
【００４１】
続いて、下第二前パネル１０について説明する。
【００４２】
下第二前パネル１０は、下第二空間Ｓ５を塞ぐように、キャビネット本体４に取り付けられる。下第二前パネル１０は、矩形板状であり、例えば、表面に防水加工が施された木質の板材である。下第二前パネル１０の左右幅は、第一前パネル５のうち切欠き５０よりも右側の部分の左右幅と、第二前パネル６の左右幅を足し合わせた長さと同じである。下第二前パネル１０は、キャビネット本体４の右の側板４１と底板４４と第二縦板４８と第三横板４９のそれぞれに対して、ダボ等を介して取り付けられる。
【００４３】
下第二前パネル１０と下第一前パネル９とは、左右方向に離れて位置するようにキャビネット本体４に取り付けられる。下第二前パネル１０と下第一前パネル９の間からは、下第一空間Ｓ４と後板４０が露出する。
【００４４】
続いて、カウンター１１について説明する。
【００４５】
カウンター１１は、キャビネット本体４の天板４３の上に取り付けられる。カウンター１１は、左右方向を長手方向とする矩形板状であり、例えば、表面に防水加工が施された木質の板材である。
【００４６】
続いて、サイドパネル１２について説明する。
【００４７】
サイドパネル１２は、キャビネット本体４の左の側板４２の左面に取り付けられる。サイドパネル１２は、上下方向を長手方向とする矩形板状であり、例えば、表面に防水加工が施された木質の板材である。サイドパネル１２の前端部は、側板４２の前端よりも前方に位置する。
【００４８】
続いて、受け具１３について説明する。
【００４９】
図３Ａ、図３Ｂに示すように、受け具１３は、キャビネット本体４に取り付けられる。受け具１３は、引掛け具１４を引っ掛けることができるように構成されている。
【００５０】
本実施形態では、受け具１３は、キャビネット本体４の第二横板４６の下面に固定される矩形板状の固定部１３０と、固定部１３０から下方に延長されたフック部１３１とを有する。
【００５１】
フック部１３１は、矩形板状の固定部１３０の前端から垂下するように延長された垂下片部１３２と、垂下片部１３２の下端から前方に延長された底片部１３３と、底片部１３３の前端から上方に延長された折り返し片部１３４とを有する。垂下片部１３２と折り返し片部１３４は、互いに平行であり、底片部１３３は、固定部１３０に対して平行である。フック部１３１は、垂下片部１３２と底片部１３３と折り返し片部１３４で囲まれて形成される差込溝１３５を有する。差込溝１３５は、上方及び左右方向に開放された溝である。
【００５２】
受け具１３は、例えば、金属製であり、一つの帯状の金属板を折り曲げ加工するなどして形成される。なお、受け具１３は、樹脂製であってもよい。
【００５３】
本実施形態では、第二横板４６の下面に、左右一対の受け具１３が固定されている。左右一対の受け具１３は、左右方向に距離をおいて位置する。
【００５４】
続いて、引掛け具１４について説明する。
【００５５】
引掛け具１４は、第一前パネル５に取り付けられる。本実施形態では、引掛け具１４は、第一前パネル５の上端部の後面に固定される矩形板状の固定部１４０と、固定部１４０から後方に延長されたＬ字状の引掛け片部１４１とを有する。
【００５６】
引掛け片部１４１は、矩形板状の固定部１４０の上端から後方に延長された上片部１４２と、上片部１４２の後端から下方に延長された差込片部１４３とを有する。固定部１４０と差込片部１４３は、互いに平行である。
【００５７】
引掛け具１４は、例えば、金属製であり、一つの帯状の金属板を折り曲げ加工するなどして形成される。なお、引掛け具１４は、樹脂製であってもよい。
【００５８】
本実施形態では、第一前パネル５の後面の上端部の右端部と左端部にそれぞれ、引掛け具１４が１つずつ固定されている。左右一対の引掛け具１４の配置は、左右一対の受け具１３の配置に対応している。
【００５９】
続いて、第二引掛け具１５について説明する。
【００６０】
図１、図３Ａに示すように、第二引掛け具１５は、第一前パネル５の下端部の後面に、第一前パネル５よりも下方に突出するように取り付けられる。本実施形態では、第二引掛け具１５は、矩形板状である。第二引掛け具１５は、例えば、金属製である。なお、第二引掛け具１５は、樹脂製であってもよい。
【００６１】
本実施形態では、第一前パネル５の下端部の後面のうち、切欠き５０よりも右側の部分の左右方向の中央部と、切欠き５０よりも左側の部分の左右方向の中央部にそれぞれ、第二引掛け具１５が１つずつ固定されている。
【００６２】
図１に示す本実施形態のキャビネット１では、第一前パネル５は、左右一対の引掛け具１４が左右一対の受け具１３に一対一に引っ掛かることで、第一前パネル５の上端部が、キャビネット本体４に対して吊り支持された状態で取り付けられている。
【００６３】
第一前パネル５は、取付状態において、左側の第二引掛け具１５が下第一前パネル９の上端部の後方に位置し、右側の第二引掛け具１５が下第二前パネル１０の上端部の後方に位置し、第一前パネル５の下端部が第二縦板４８の上端部の前方に位置する。これにより、第一前パネル５の下端部は、前後方向の位置ずれが規制されている。
【００６４】
第一前パネル５は、上第一空間Ｓ２を閉じる位置にあるときの扉パネル８の真下に位置する。第一前パネル５の下方には、切欠き５０の下方に、下第一前パネル９と下第二前パネル１０の間の空間が並ぶように、下第一前パネル９と下第二前パネル１０が位置する。
【００６５】
第一前パネル５の左方には、サイドパネル１２の前端部が位置し、第一前パネル５の右方には、第二前パネル６が位置する。第一前パネル５は、側方（右方）への移動が、第二前パネル６に当たることで不可とされる。
【００６６】
第二前パネル６は、手洗装置７のベース部７０の真下に位置し、突出カバー部６０内に手洗装置７の排水筒７１０が収まっている。第二前パネル６は、面ファスナーを介して、キャビネット本体４に着脱自在に取り付けられている。
【００６７】
キャビネット１は、キャビネット本体４の右面が、壁２の右側に直角に並ぶ他の壁２０に当たるように設置されている。第一前パネル５の前方に、便器３が位置し、第二前パネル６の前方は、便器３が位置しない空きスペースとなる。
【００６８】
続いて、キャビネット１内の空間を開放する各工程の一例を順に説明する。
【００６９】
まず、図４に示すように、キャビネット本体４から、第二前パネル６を取り外す。このとき、第二前パネル６は、突出カバー部６０を掴んで前方に引っ張ることで、キャビネット本体４から取り外すことができる。キャビネット本体４から第二前パネル６を取り外すと、第一前パネル５の側方（右方）には、第一前パネル５の横方向の移動を許容するスペースが形成される。
【００７０】
次いで、図５に示すように、第一前パネル５を掴んで横方向（右方）に移動させる。これにより、左右一対の受け具１３から左右一対の引掛け具１４が外れて、第一前パネル５の上端部の支持が解除される。またこのとき、第一前パネル５の下端部の後方に、第二縦板４８の上端部が位置する状態が解除され、第一前パネル５の下端部の後方への移動が可能となる。ここで、第一前パネル５の横方向の移動は、左右一対の第二引掛け具１５を、下第一前パネル９と下第二前パネル１０の後面に当てながら、安定して行うことが可能である。
【００７１】
次いで、図６に示すように、第一前パネル５を、上端部が下端部よりも前側に位置するように傾けて、上方に引き上げ、キャビネット本体４から第一前パネル５を取り外す。このとき、第一前パネル５は、下端部を下第一空間Ｓ４内へと後方に移動させながら、傾けることができるため、キャビネット本体４の前方（キャビネット本体４と便器３との間）に、大きな空間が必要とならない。そのため、第一前パネル５と便器３との間が狭いスペースとなっていても、取り外しを安定して行うことが可能となっている。なお、第一前パネル５及び第二前パネル６の取り付けは、上述した工程とは逆の工程によって行える。
【００７２】
以上のように本実施形態のキャビネット１では、第一前パネル５と第二前パネル６とをキャビネット本体４から取り外すことで、下第一空間Ｓ４を横方向に広く開放させることができる。そのため、本実施形態のキャビネット１では、下第一空間Ｓ４に収納された制御装置７３、排水管７５、及び給水管７４のメンテナンスが行いやすい。
【００７３】
（変更例）
続いて、実施形態１のキャビネット１の変更例について説明する。
【００７４】
第二前パネル６は、キャビネット本体４に対して、ねじ等の固定部材によって着脱自在に取り付けられてもよい。
【００７５】
受け具１３と引掛け具１４は、第一前パネル５の横方向の移動を許容するように引っ掛けることのできる構造であればよく、上述した形状及び取付位置に限らず、適宜変更可能である。
【００７６】
第二引掛け具１５についても、上述した形状及び取付位置に限らず、適宜変更可能である。第二引掛け具１５は、第一前パネル５の下部の周囲の部材（第二縦板４８や第三横板４９や側板４２）に引っ掛かることができるように構成されてもよい。
【００７７】
第一前パネル５の下部には、第二引掛け具１５が設けられなくてもよく、受け具１３による支持だけで、第一前パネル５はキャビネット本体４に取り付けられてもよい。
【００７８】
キャビネット１は、手洗装置７を備えなくてもよい。また、手洗装置７は、キャビネット１の隣に設置されてもよく、この場合、手洗装置７の制御装置７３、給水管７４、及び排水管７５は、キャビネット１内に収納されることが好ましい。また、キャビネット１は、トイレ用品の収納にだけ用いられてもよく、すなわち、手洗装置７の制御装置７３、給水管７４、及び排水管７５が、収納空間Ｓ１に収納されなくてもよい。
【００７９】
手洗装置７の制御装置７３は、給水管７４に供給される水を温めるヒーターを有してもよい。
【００８０】
キャビネット１は、壁２と便器３と間の狭いスペースに限らず、トイレルームのその他の壁の手前に沿うように配されてもよい。
【００８１】
（実施形態２）
続いて、図７に示す実施形態２のキャビネット１について説明する。以下では、実施形態１のキャビネット１と同様の構成については、図中に同一の符号を付して詳しい説明を省略する。
【００８２】
実施形態２のキャビネット１は、キャビネット本体４の構造が、実施形態１のキャビネット１とは異なる。
【００８３】
本実施形態のキャビネット本体４では、底板４４は、後板４０の下端から上方に離れた位置に固定されており、トイレルームの床から上方に離れて位置する。後板４０は、底板４４よりも下方の部分が露出している。後板４０の下面は、トイレルームの床に接している。一対の側板４１，４２のそれぞれの下面は、底板４４の下面と面一である。サイドパネル１２の下面も、底板４４の下面と面一である。
【００８４】
キャビネット本体４内の収納空間Ｓ１は、上第一空間Ｓ２と、上第二空間Ｓ３と、下空間Ｓ６を含む。下空間Ｓ６は、後板４０と第二横板４６と一対の側板４１，４２と底板４４とで囲まれた直方体状の空間である。
【００８５】
底板４４は、その前端部に、切欠き４４０を有する。切欠き４４０は、底板４４の前端部を上下方向に貫通し、かつ前方に開口している。切欠き４４０の左右方向の位置は、第一前パネル５の切欠き５０の左右方向の位置と同じである。手洗装置７の排水管７５の下流側の端部は、底板４４の切欠き４４０と第一前パネル５の切欠き５０のうち少なくとも一方を通じて、キャビネット１の外側へ引き出される。
【００８６】
底板４４は、第一前パネル５の下端部に設けられる左右一対の第二引掛け具１５が挿入される左右一対の挿入孔４４１を有する。左右一対の挿入孔４４１のそれぞれは、左右方向を長手方向とする長孔であり、少なくとも上方に開口している。
【００８７】
左右一対の第二引掛け具１５のそれぞれは、図８に示すように、第一前パネル５の下端部の後面に固定される矩形板状の固定部１５０と、固定部１５０の下端から後方に延長された横片部１５１と、横片部１５１の後端から垂下した縦片部１５２を含む。
【００８８】
左右一対の挿入孔４４１のそれぞれは、左右方向の長さが、縦片部１５２の左右方向の長さよりも長く、前後方向の長さが、縦片部１５２の前後方向の長さよりも長い。言い換えると、左右一対の挿入孔４４１のそれぞれは、第一前パネル５の横方向への移動を許容する左右長さを有し、かつ、第一前パネル５を斜めに傾けることの可能な前後長さを有する。
【００８９】
左右一対の第二引掛け具１５の縦片部１５２が、底板４４の左右一対の挿入孔４４１に挿入され、左右一対の第二引掛け具１５の横片部１５１が、底板４４の上面に載せ置かれることで、第一前パネル５の下部は、キャビネット本体４に取り付けられる。
【００９０】
なお、第一前パネル５の上部は、左右一対の引掛け具１４が、キャビネット本体４に設けられた左右一対の受け具１３に引っ掛かって吊り支持されることで、キャビネット本体４に取り付けられる。
【００９１】
以上説明した実施形態２のキャビネット１においても、キャビネット本体４から第二前パネル６を取り外した後、第一前パネル５を側方（右方）に移動させた後、傾けて上方に持ち上げることで、キャビネット本体４から第一前パネル５を取り外すことができる。
【００９２】
本実施形態のキャビネット１では、第一前パネル５の下端部に設けられた左右一対の第二引掛け具１５の横片部１５１を底板４４の上面に当てながら、第一前パネル５を側方に移動させることができるため、安定した横移動が行える。
【００９３】
（変更例）
実施形態２のキャビネット１についても、上述した実施形態１のキャビネット１の変更例と同様の変更が可能である。
【００９４】
（効果）
以上説明した実施形態１、２及びその変更例のキャビネット１から明らかなように、本発明に係る第一の形態のキャビネット１は、第一の特徴として、下記の構成を具備する。
【００９５】
すなわち、第一の形態のキャビネット１は、キャビネット本体４と、第一前パネル５と、第二前パネル６と、受け具１３と、引掛け具１４を備える。
【００９６】
キャビネット本体４は、トイレルームの壁２に沿うように、壁２の前方に設置される。第一前パネル５は、キャビネット本体４の前側に取り付けられる。第二前パネル６は、第一前パネル５の横に並ぶように、キャビネット本体４に着脱自在に取り付けられる。受け具１３は、キャビネット本体４に設けられる。引掛け具１４は、第一前パネル５に設けられる。
【００９７】
第一前パネル５は、第二前パネル６がキャビネット本体４から外れた状態では、受け具１３に引掛け具１４が引っ掛かる取付位置と、受け具１３から引掛け具１４が離れる取り外し位置との間で、横方向に移動自在である。
【００９８】
第一前パネル５は、第二前パネル６がキャビネット本体４に取り付けられた状態では、取付位置から取り外し位置への移動が、第二前パネル６に当たることで不可とされる。
【００９９】
第一の特徴を具備することで、第一の形態のキャビネット１では、第二前パネル６をキャビネット本体４から取り外した状態で、第一前パネル５を横方向に移動させることで、キャビネット本体４に対して引っ掛かった状態を解除することができる。そして、第一の形態のキャビネット１では、第一前パネル５を横方向に移動させた後で、第一前パネル５をキャビネット本体４の前方から取り除くことができる。
【０１００】
このように、第一の形態のキャビネット１では、第一前パネル５とその側方に位置する第二前パネル６の両方を、キャビネット本体４から取り外すことができる。そのため、第一の形態のキャビネット１では、キャビネット本体４内の空間を横方向に広く開放することができて、内部のメンテナンスが行いやすい。
【０１０１】
また、第一の形態のキャビネット１では、第二前パネル６がキャビネット本体４に取り付けられている状態では、第一前パネル５の横方向への移動を第二前パネル６によって防ぐことができる。そのため、第一の形態のキャビネット１では、第一前パネル５がキャビネット本体４に対して引っ掛かった状態が維持しやすく、例えば、掃除の際などに第一前パネル５に接触するなどしても外れにくい。
【０１０２】
また、本発明に係る第二の形態のキャビネット１は、第一の特徴に加えて、下記の第二の特徴を具備する。
【０１０３】
すなわち、第二の形態のキャビネット１は、第一前パネル５の下部に設けられた第二引掛け具１５をさらに備える。第二引掛け具１５は、第一前パネル５が取付位置と取り外し位置のいずれにあるときも、キャビネット本体４に対して引っ掛かることができるように構成されている。
【０１０４】
上記の第二の特徴を具備することで、第二の形態のキャビネット１では、第二引掛け具１５をキャビネット本体４に対して引っ掛けながら、第一前パネル５を横方向に移動させることができるため、第一前パネル５の横方向の移動が行いやすい。またこの横移動の際に、第一前パネル５の下部が前方へと飛び出すことを抑制することができる。
【０１０５】
また、本発明に係る第三の形態のキャビネット１は、第一の特徴及び第二の特徴に加えて、下記の第三の特徴を具備する。
【０１０６】
すなわち、第三の形態のキャビネット１は、第二前パネル６の上に位置するように、キャビネット本体４に取り付けられる手洗装置７をさらに備える。手洗装置７は、水栓７２と、水栓７２を制御する制御装置７３と、を有する。制御装置７３は、キャビネット本体４内に収納される。
【０１０７】
上記の第三の特徴を具備することで、第三の形態のキャビネット１では、手洗装置７の下方において、第一前パネル５と第二前パネル６を取り外すことで、キャビネット本体４内の収納空間を横方向に広く開放することができる。そのため、第三の形態のキャビネット１では、キャビネット本体４内に収納された手洗装置７の制御装置７３のメンテナンスが行いやすい。
【０１０８】
以上、本発明を添付図面に示す実施形態に基づいて説明したが、本発明は上記の実施形態に限定されるものではなく、本発明の意図する範囲内であれば、適宜の設計変更が可能である。
【符号の説明】
【０１０９】
１      トイレキャビネット
２      壁
４      キャビネット本体
５      第一前パネル
６      第二前パネル
７      手洗装置
７２    水栓
７３    制御装置
１３    受け具
１４    引掛け具
１５    第二引掛け具
【図１】
2018175112.tif 000003
【図２】
2018175112.tif 000004
【図３】
2018175112.tif 000005
【図４】
2018175112.tif 000006
【図５】
2018175112.tif 000007
【図６】
2018175112.tif 000008
【図７】
2018175112.tif 000009
【図８】
2018175112.tif 000010